(57)【要約】    【課題】  防犯性能を向上させることができる複層ガラス付サッシ窓及び複層ガラス付サッシ窓用補助錠を提供する。    【解決手段】  複層ガラス付サッシ窓１００は内外障子２，３を備え、この内外障子２，３は、戸枠４，５と、戸枠４に嵌められた複層ガラスアタッチメント８と、戸枠５に嵌められた足長部材２４と、足長部材２４に嵌められた複層ガラスアタッチメント９と、複層ガラスアタッチメント８，９に保持された複層ガラス１６，１８と備え、戸枠４にはクレセント１４が、戸枠５にはクレセント受け１５が設けられ、足長部材２４の内側面２４ａには、解錠時に足長部材２４内に収納され、施錠時に足長部材２４の内側領域３１に突出する複層ガラス付サッシ窓用補助錠５０が埋め込まれている。【選択図】      図１
2006083577.tif 000002
【特許請求の範囲】
【請求項１】
引き違いに設置された内障子及び外障子と、前記内障子及び前記外障子の夫々に設置された戸枠と、前記内障子に設置された戸枠に嵌められた第１のアタッチメント付き複層ガラスと、前記外障子に設置された戸枠に嵌められた足長部材と、前記足長部材に嵌められた第２のアタッチメント付き複層ガラスと、前記内障子に設置された戸枠に設けられたクレセントと、前記外障子に設置された戸枠に設けられたクレセント受けとを備える複層ガラス付サッシ窓において、前記足長部材には、施錠時に前記足長部材の内側領域に突出する複層ガラス付サッシ窓用補助錠が設けられていることを特徴とする複層ガラス付サッシ窓。
【請求項２】
前記複層ガラス付サッシ窓用補助錠は、室内側に凹所を有するフレームと、前記フレームに軸支され、解錠時において前記フレームの凹所内の収納位置をとり、及び施錠時に前記内側領域に突出する展開位置をとり得る突出部と、前記突出部を前記展開位置側に付勢する弾性体と、前記フレームの凹所内で収納位置にある突出部を係止する係止部材と、前記突出部の係止を解除する係止解除ボタンとを有することを特徴とする請求項１記載の複層ガラス付サッシ窓。
【請求項３】
前記フレームは前記足長部材内に収納されていることを特徴とする請求項２記載の複層ガラス付サッシ窓。
【請求項４】
前記複層ガラス付サッシ窓用補助錠は、前記足長部材の側面に固定された固定部と、前記固定部に軸支され、施錠時に前記内側領域に突出する展開位置をとり得る突出部とを有することを特徴とする請求項１記載の複層ガラス付サッシ窓。
【請求項５】
前記複層ガラス付サッシ窓用補助錠は、前記足長部材に設けられた貫通孔に挿入される円柱棒であることを特徴とする請求項１記載の複層ガラス付サッシ窓。
【請求項６】
引き違いに設置された内障子及び外障子と、前記内障子及び前記外障子の夫々に設置された戸枠と、前記内障子に設置された戸枠に嵌められた第１のアタッチメント付き複層ガラスと、前記外障子に設置された戸枠に嵌められた足長部材と、前記足長部材に嵌められた第２のアタッチメント付き複層ガラスと、前記内障子に設置された戸枠に設けられたクレセントと、前記外障子に設置された戸枠に設けられたクレセント受けとを備える複層ガラス付サッシ窓に用いられる複層ガラス付サッシ窓用補助錠であって、前記足長部材に設けられると共に、施錠時に前記足長部材の内側領域に突出することを特徴とする複層ガラス付サッシ窓用補助錠。
【請求項７】
室内側に凹所を有するフレームと、前記フレームに軸支され、解錠時において前記フレームの凹所内の収納位置をとり、及び施錠時に前記内側領域に突出する展開位置をとり得る突出部と、前記突出部を前記展開位置側に付勢する弾性体と、前記フレームの凹所内で収納位置にある突出部を係止する係止部材と、前記突出部の係止を解除する係止解除ボタンとを有することを特徴とする請求項６記載の複層ガラス付サッシ窓用補助錠。
【請求項８】
前記フレームは前記足長部材内に収納されていることを特徴とする請求項７記載の複層ガラス付サッシ窓用補助錠。
【請求項９】
前記足長部材の側面に固定された固定部と、前記固定部に軸支され、施錠時に前記内側領域に突出する展開位置をとり得る突出部とを有することを特徴とする請求項６記載の複層ガラス付サッシ窓用補助錠。
【請求項１０】
前記足長部材に設けられた貫通孔に挿入される円柱棒であることを特徴とする請求項６記載の複層ガラス付サッシ窓用補助錠。
【発明の詳細な説明】
【技術分野】
【０００１】
本発明は、複層ガラス付サッシ窓及び複層ガラス付サッシ窓用補助錠に関する。
【背景技術】
【０００２】
従来より、室内の気密性を高めるため、ガラス窓枠としてアルミ製等のサッシを用いると共に、このサッシに引き違いに設置された内外障子におけるアルミ製等の戸枠に１枚のガラスを嵌めた複層ガラス付サッシ窓が用いられている。しかし、この複層ガラス付サッシ窓は、内外障子を閉めた時、室内外が１枚のガラスで仕切られることとなり、室内の熱が室外に逃げ易く、また、室外の熱が室内へ侵入し易い。そこで、ユーザが室内外間の断熱効果を高めて省エネを図ることを望む場合には、間に乾燥空気を密封した２枚のガラスを備える複層ガラス（断熱複層ガラス）を戸枠に嵌めた複層ガラス付サッシ窓を用いる。なお、この複層ガラス付サッシ窓は、断熱効果が高いことに加えて、耐風圧効果や防音効果も高い。
【０００３】
図５に示すように、複層ガラス付サッシ窓１は、通常、引き違いに設置された室内側の内障子２及び室外側の外障子３とを備え、この内外障子２、３は、夫々、戸枠４，５と、この戸枠４，５に嵌められた複層ガラスアタッチメント８、９と、この複層ガラスアタッチメント８、９に保持された複層ガラス１６，１８とを備える。内障子２における戸枠４にはクレセント１４が設けられ、外障子３における戸枠５にはクレセント１４が係合されるように構成されたクレセント受け１５が設けられている。
【０００４】
この複層ガラス付サッシ窓１は、内外障子２，３を開閉する際にクレセント受け１５が複層ガラス１６や複層ガラスアタッチメント８と接触しないように、複層ガラスアタッチメント８が戸枠４の厚さ中心位置より２〜３ｍｍ室内側に、複層ガラスアタッチメント９が戸枠５の厚さ中心位置より２〜３ｍｍ室外側にずらして配置してあるので、複層ガラス１８を厚くした時、内外障子２，３を開閉する際に複層ガラス１８が網戸や雨戸等に接触してしまい、複層ガラス１８を厚くできずに所望の省エネ効果を得られないという問題があった。さらに、クレセント１４をクレセント受け１５に掛けて戸締りしても、クレセント１４及びクレセント受け１５（鍵２２）の直近に複層ガラス１８が配置されているため、室外側からクレセント１４が見えやすく防犯性が低いという問題があった。
【０００５】
斯かる問題を解決すべく、図６に示すように、内外障子２，３における複層ガラスアタッチメント８，９の中心位置を各戸枠４，５の厚さ中心位置に夫々一致させると共に、突出幅が長く、基部がクレセント受け１５の周辺に配置されたアルミ製の内側垂直部（足長部材）２４を戸枠５と複層ガラス１８との間に設けた複層ガラス付サッシ窓１０を用いて、各複層ガラスアタッチメント８，９に嵌められた複層ガラス１６，１８をいずれも厚くして省エネ効果を高めると共に、室外側からクレセント１４を視認できないようにして防犯性を高めていた（例えば、特許文献１参照）。
【特許文献１】特開２００２−３２２８５５号公報
【発明の開示】
【発明が解決しようとする課題】
【０００６】
しかしながら、上記複層ガラス付サッシ窓１０においても、クレセント１４の設置位置が内障子２の高さの中央付近にあることが多いため、クレセント１４の設置位置が容易に予想できてしまい、複層ガラス１８のクレセント１４付近が破壊されてクレセント１４が解除され得るという問題があった。
【０００７】
本発明の目的は、防犯性能を向上させることができる複層ガラス付サッシ窓及び複層ガラス付サッシ窓用補助錠を提供することにある。
【課題を解決するための手段】
【０００８】
上記目的を達成するために、請求項１記載の複層ガラス付サッシ窓は、引き違いに設置された内障子及び外障子と、前記内障子及び前記外障子の夫々に設置された戸枠と、前記内障子に設置された戸枠に嵌められた第１のアタッチメント付き複層ガラスと、前記外障子に設置された戸枠に嵌められた足長部材と、前記足長部材に嵌められた第２のアタッチメント付き複層ガラスと、前記内障子に設置された戸枠に設けられたクレセントと、前記外障子に設置された戸枠に設けられたクレセント受けとを備える複層ガラス付サッシ窓において、前記足長部材には、施錠時に前記足長部材の内側領域に突出する複層ガラス付サッシ窓用補助錠が設けられていることを特徴とする。
【０００９】
請求項２記載の複層ガラス付サッシ窓は、請求項１記載の複層ガラス付サッシ窓において、前記複層ガラス付サッシ窓用補助錠は、室内側に凹所を有するフレームと、前記フレームに軸支され、解錠時において前記フレームの凹所内の収納位置をとり、及び施錠時に前記内側領域に突出する展開位置をとり得る突出部と、前記突出部を前記展開位置側に付勢する弾性体と、前記フレームの凹所内で収納位置にある突出部を係止する係止部材と、前記突出部の係止を解除する係止解除ボタンとを有することを特徴とする。
【００１０】
請求項３記載の複層ガラス付サッシ窓は、請求項２記載の複層ガラス付サッシ窓において、前記フレームは前記足長部材内に収納されていることを特徴とする。
【００１１】
請求項４記載の複層ガラス付サッシ窓は、請求項１記載の複層ガラス付サッシ窓において、前記複層ガラス付サッシ窓用補助錠は、前記足長部材の側面に固定された固定部と、前記固定部に軸支され、施錠時に前記内側領域に突出する展開位置をとり得る突出部とを有することを特徴とする。
【００１２】
請求項５記載の複層ガラス付サッシ窓は、請求項１記載の複層ガラス付サッシ窓において、前記複層ガラス付サッシ窓用補助錠は、前記足長部材に設けられた貫通孔に挿入される円柱棒であることを特徴とする。
【００１３】
上記目的を達成するために、請求項６記載の複層ガラス付サッシ窓用補助錠は、引き違いに設置された内障子及び外障子と、前記内障子及び前記外障子の夫々に設置された戸枠と、前記内障子に設置された戸枠に嵌められた第１のアタッチメント付き複層ガラスと、前記外障子に設置された戸枠に嵌められた足長部材と、前記足長部材に嵌められた第２のアタッチメント付き複層ガラスと、前記内障子に設置された戸枠に設けられたクレセントと、前記外障子に設置された戸枠に設けられたクレセント受けとを備える複層ガラス付サッシ窓に用いられる複層ガラス付サッシ窓用補助錠であって、前記足長部材に設けられると共に、施錠時に前記足長部材の内側領域に突出することを特徴とする。
【００１４】
請求項７記載の複層ガラス付サッシ窓用補助錠は、請求項６記載の複層ガラス付サッシ窓用補助錠において、室内側に凹所を有するフレームと、前記フレームに軸支され、解錠時において前記フレームの凹所内の収納位置をとり、及び施錠時に前記内側領域に突出する展開位置をとり得る突出部と、前記突出部を前記展開位置側に付勢する弾性体と、前記フレームの凹所内で収納位置にある突出部を係止する係止部材と、前記突出部の係止を解除する係止解除ボタンとを有することを特徴とする。
【００１５】
請求項８記載の複層ガラス付サッシ窓用補助錠は、請求項７記載の複層ガラス付サッシ窓用補助錠において、前記フレームは前記足長部材内に収納されていることを特徴とする。
【００１６】
請求項９記載の複層ガラス付サッシ窓用補助錠は、請求項６記載の複層ガラス付サッシ窓用補助錠において、前記足長部材の側面に固定された固定部と、前記固定部に軸支され、施錠時に前記内側領域に突出する展開位置をとり得る突出部とを有することを特徴とする。
【００１７】
請求項１０記載の複層ガラス付サッシ窓用補助錠は、請求項６記載の複層ガラス付サッシ窓用補助錠において、前記足長部材に設けられた貫通孔に挿入される円柱棒であることを特徴とする。
【発明の効果】
【００１８】
請求項１記載の複層ガラス付サッシ窓によれば、足長部材には施錠時に足長部材の内側領域に突出する複層ガラス付サッシ窓用補助錠が設けられているので、仮にクレセントが解除され、複層ガラス付サッシ窓が開けられようとされる場合であっても、複層ガラス付サッシ窓用補助錠の突出部が内障子に当接して複層ガラス付サッシ窓が開けられるのを防止することができ、もって防犯性能を向上させることができ、また、室外側から複層ガラス付サッシ窓用補助錠を視認できないようにして、複層ガラス付サッシ窓用補助錠の設置位置を予想困難にすることができる。
【００１９】
請求項２記載の複層ガラス付サッシ窓によれば、複層ガラス付サッシ窓用補助錠は、突出部を展開位置側に付勢する弾性体と、フレームの凹所内で収納位置にある突出部を係止する係止部材と、突出部の係止を解除する係止解除ボタンとを有するので、係止解除ボタンを操作することのみで、突出部を展開位置側に展開させることができる。
【００２０】
請求項３記載の複層ガラス付サッシ窓によれば、フレームは足長部材内に収納されているので、解錠時に複層ガラス付サッシ窓用補助錠が内障子と接触するのを確実に防止することができる。
【００２１】
請求項４記載の複層ガラス付サッシ窓によれば、突出部は固定部に軸支されているので、固定部と突出部との角度を手動で調整することができ、もって複層ガラス付サッシ窓の施錠をより確実にすることができる。
【００２２】
請求項５記載の複層ガラス付サッシ窓によれば、複層ガラス付サッシ窓用補助錠は、足長部材に設けられた貫通孔に挿入される円柱棒であるので、円柱棒のみで複層ガラス付サッシ窓の施錠を行うことができ、もってコストを低減することができる。
【００２３】
請求項６記載の複層ガラス付サッシ窓用補助錠によれば、施錠時に足長部材の内側領域に突出するので、仮にクレセントが解除され、複層ガラス付サッシ窓が開けられようとされる場合であっても、突出部が内障子に当接して複層ガラス付サッシ窓が開けられるのを防止することができ、もって複層ガラス付サッシ窓の防犯性能を向上させることができ、また、足長部材に設けられているので、室外側から視認できないようにして、設置位置を予想困難にすることができる。
【００２４】
請求項７記載の複層ガラス付サッシ窓用補助錠によれば、突出部を展開位置側に付勢する弾性体と、フレームの凹所内で収納位置にある突出部を係止する係止部材と、突出部の係止を解除する係止解除ボタンとを有するので、係止解除ボタンを操作することのみで、突出部を展開位置側に展開させることができる。
【００２５】
請求項８記載の複層ガラス付サッシ窓用補助錠によれば、フレームは足長部材内に収納されているので、解錠時に内障子と接触するのを確実に防止することができる。
【００２６】
請求項９記載の複層ガラス付サッシ窓用補助錠によれば、突出部は固定部に軸支されているので、固定部と突出部との角度を手動で調整することができ、もって複層ガラス付サッシ窓の施錠をより確実にすることができる。
【００２７】
請求項１０記載の複層ガラス付サッシ窓用補助錠によれば、足長部材に設けられた貫通孔に挿入される円柱棒であるので、円柱棒のみで複層ガラス付サッシ窓の施錠を行うことができ、もってコストを低減することができる。
【発明を実施するための最良の形態】
【００２８】
以下、本発明の実施の形態を図面を参照しながら説明する。
【００２９】
図１は、本実施の形態に係る複層ガラス付サッシ窓の概略構成を示す図であり、（ａ）は室内側からの正面図であり、（ｂ）は線Ｉｂ−Ｉｂに沿う断面図である。
【００３０】
図１において、複層ガラス付サッシ窓１００は、引き違いに設置された内障子２及び外障子３とを備える。この内外障子２，３は、戸枠４，５と、戸枠４に嵌められた複層ガラスアタッチメント（第１のアタッチメント）８と、戸枠５にグレージングチャンネル３０を介して嵌められた足長部材２４と、足長部材２４の長手方向（図１（ａ）における上下方向）両端部において足長部材２４と戸枠５とを接合するジョイントピース４０と、足長部材２４に嵌められた複層ガラスアタッチメント（第２のアタッチメント）９と、複層ガラスアタッチメント８，９に保持された複層ガラス１６，１８とを備える。内障子２における戸枠４の内側面２０にはクレセント１４が設けられ、外障子３における戸枠５の内側面２１にはクレセント１４に係合するように構成されたクレセント受け１５が設けられている。足長部材２４の内側面２４ａには、その上部において、解錠時（複層ガラス付サッシ窓１００開時）に足長部材２４内に収納され、施錠時に足長部材２４の内側領域３１に突出する後述する図２の複層ガラス付サッシ窓用補助錠５０が埋め込まれている。
【００３１】
図２は、図１における複層ガラス付サッシ窓用補助錠５０の概略構成を示す図であり、（ａ）は室内側からの正面図であり、（ｂ）はIIｂ−IIbに沿う断面図である。
【００３２】
図２において、複層ガラス付サッシ窓用補助錠５０は、足長部材２４の内側面２４ａに埋め込まれ、内側に凹所を有するフレーム５０ａと、凹所内においてフレーム５０ａの下部に軸支され、解錠時においてフレーム５０ａの凹所内の鉛直な収納位置をとり、及び施錠時において足長部材２４の内側領域３１に突出する展開位置をとり得る突出部５１と、フレーム５０ａの凹所底部に設けられ、突出部５１を展開位置側に付勢するバネ（弾性体）５２と、突出部５１の上方においてフレーム５０ａに鉛直方向に昇降自在に設けられ、下降したときにフレーム５０ａの凹所内で収納位置にある突出部５１を係止するストッパ（係止部材）５３と、ストッパ５３に固定され、操作者によって引き上げられたときにストッパ５３を上昇させて突出部５１の係止を解除するように構成された係止解除ボタン５４とを有する。
【００３３】
ストッパ５３が上昇することにより突出部５１の係止が解除され、突出部５１がバネ５２により展開位置側に付勢されて足長部材２４の内側領域３１に突出するように展開し、複層ガラス付サッシ窓１００が開けられるのを防止する（施錠する）。
【００３４】
本実施の形態に係る複層ガラス付サッシ窓１００によれば、足長部材２４には、施錠時に足長部材２４の内側領域３１に突出する複層ガラス付サッシ窓用補助錠５０が設けられているので、仮にクレセント１４が解除され複層ガラス付サッシ窓１００が開けられようとされる場合であっても、突出部５１が内障子２に当接して複層ガラス付サッシ窓１００が開けられるのを防止することができ、もって防犯性能を向上させることができ、また、室外側から複層ガラス付サッシ窓用補助錠５０を視認できないようにして、複層ガラス付サッシ窓用補助錠５０の設置位置を予想困難にすることができる。
【００３５】
また、本実施の形態に係る複層ガラス付サッシ窓１００によれば、フレーム５０ａが足長部材２４内に収納されているので、解錠時に複層ガラス付サッシ窓用補助錠５０が内障子２と接触するのを確実に防止することができる。
【００３６】
また、本実施の形態に係る複層ガラス付サッシ窓１００によれば、突出部５１を展開位置側に付勢するバネ５２と、フレーム５０ａの凹所内で収納位置にある突出部５１を係止するストッパ５３と、ストッパ５３による突出部５１の係止を解除する係止解除ボタン５４とを有するので、係止解除ボタン５４を操作することのみで、突出部５１を展開位置側に展開させることができる。
【００３７】
本実施の形態では、複層ガラス付サッシ窓用補助錠５０がクレセント１４の上方に設けられているが、複層ガラス付サッシ窓用補助錠５０の設置位置はこれに限定されるものではなく、クレセント１４の下方に設けられていてもよい。
【００３８】
本実施の形態では、フレーム５０ａが足長部材２４内に収納されているが、これに限定されるものではなく、フレーム５０ａの足長部材２４に収納されない部分の厚みが、複層ガラス付サッシ窓１００の開時において内障子２に接触しない程度であればよい。
【００３９】
本実施の形態では、複層ガラス付サッシ窓用補助錠５０を用いているが、これに限定されるものではなく、図３に示すような、足長部材２４の内側面２４ａにビス６１で固定された固定部６２と、固定部６２に設けられた軸６３に軸支され、施錠時において足長部材２４の内側領域３１に突出する展開位置をとり得る突出部５１とを有する複層ガラス付サッシ窓用補助錠６０や、図４に示すような、足長部材２４の内側面２４ａに設けられた貫通孔２４ｂに挿入される金属円柱棒７０であってもよい。
【００４０】
図３の複層ガラス付サッシ窓用補助錠６０を用いた場合は、固定部６２と突出部５１との角度Ａを手動で調整することができ、もって複層ガラス付サッシ窓１００の施錠をより確実にすることができる。
【００４１】
また、図４の金属円柱棒７０を用いた場合は、金属円柱棒７０のみで複層ガラス付サッシ窓１００の施錠を行うことができ、もってコストを低減することができる。
【図面の簡単な説明】
【００４２】
【図１】本実施の形態に係る複層ガラス付サッシ窓の概略構成を示す図であり、（ａ）は室内側からの正面図であり、（ｂ）は線Ｉｂ−Ｉｂに沿う断面図である。
【図２】図１における複層ガラス付サッシ窓用補助錠５０の概略構成を示す図であり、（ａ）は室内側からの正面図であり、（ｂ）はIIｂ−IIｂに沿う断面図である。
【図３】図２の複層ガラス付サッシ窓用補助錠５０の変形例の概略構成を示す図であり、（ａ）は室内側からの正面図であり、（ｂ）は側面図である。
【図４】図１の複層ガラス付サッシ窓の変形例の概略構成を示す断面図である。
【図５】従来の複層ガラス付サッシ窓の概略構成を示す図であり、（ａ）は室内側からの正面図であり、（ｂ）は線Ｖｂ−Ｖｂに沿う断面図である。
【図６】従来の他の複層ガラス付サッシ窓の概略構成を示す図であり、（ａ）は室内側からの正面図であり、（ｂ）は線VIｂ−VIｂに沿う断面図である。
【符号の説明】
【００４３】
２  内障子
３  外障子
８  複層ガラスアタッチメント
９  複層ガラスアタッチメント
１４  クレセント
１５  クレセント受け
１６  複層ガラス
１８  複層ガラス
２４  内側垂直部（足長部材）
３１  内側領域
５０  複層ガラス付サッシ窓用補助錠
１００  複層ガラス付サッシ窓
【図１】
2006083577.tif 000003
【図２】
2006083577.tif 000004
【図３】
2006083577.tif 000005
【図４】
2006083577.tif 000006
【図５】
2006083577.tif 000007
【図６】
2006083577.tif 000008